(57)【要約】【課題】ワークを保持し且つワークへの給電経路を構成するワーク保持部材における給電状態を容易に監視することの出来るワーク保持部材、そのワーク保持部材を備えた電解処理装置の給電監視システム、及び、そのワーク保持部材を備えた電解処理装置を提供することを目的とする。【解決手段】この目的を達成するため、電解処理溶液中にワークを浸漬した状態で保持し、且つ、当該ワークに給電するワーク保持部材であって、当該ワークへの給電量を監視する電流センサ装置を備えたことを特徴とするワーク保持部材を採用する。【選択図】図２
2020012144.tif 000002
【特許請求の範囲】
【請求項１】
電解処理溶液中にワークを浸漬した状態で保持し、且つ、当該ワークに給電するワーク保持部材であって、
当該ワークへの給電量を監視する電流センサ装置を備えたことを特徴とするワーク保持部材。
【請求項２】
前記電流センサ装置は、前記ワークへの給電経路に流れる電流値を取得する電流値取得部を備えた請求項１に記載のワーク保持部材。
【請求項３】
前記電流値取得部は、前記ワークへの給電経路にシャント抵抗を接続し当該シャント抵抗から出力された電圧値を検出する電圧検出部と、当該電圧検出部が検出した電圧値と当該シャント抵抗の抵抗値に基づいて当該給電経路に流れる電流値を算出する算出部とを備えた請求項２に記載のワーク保持部材。
【請求項４】
前記電流センサ装置は、前記電流値取得部が取得した電流値に関する情報を無線送信する通信部と、当該電流値取得部及び当該通信部の動作を制御する制御部とを備えた請求項２又は請求項３に記載のワーク保持部材。
【請求項５】
前記電流センサ装置は、前記電流値取得部、前記通信部、及び／又は前記制御部とに給電する給電部を備えた請求項２〜４のいずれかに記載のワーク保持部材。
【請求項６】
前記電流センサ装置は、前記ワーク保持部材を電解処理する工程の前段に設けられる第１近接スイッチにより前記電流値取得部への通電を開始し、当該ワーク保持部材を電解処理する工程の後段に設けられる第２近接スイッチにより当該電流値取得部への通電を停止する開閉スイッチを更に備えた請求項２〜請求項５のいずれかに記載のワーク保持部材。
【請求項７】
前記給電部は、電池からなる請求項５又は請求項６に記載のワーク保持部材。
【請求項８】
請求項１〜請求項７のいずれかに記載のワーク保持部材を備えた電解処理装置の給電監視システムであって、
前記電流センサ装置を用いて当該ワーク保持部材への給電量を監視し、検出した給電量が異常値であるとき、当該ワーク保持部材への給電不良を検出することを特徴とする電解処理装置の給電監視システム。
【請求項９】
前記ワーク保持部材への給電不良を検出した場合、警報動作を実行する請求項８に記載の電解処理装置の給電監視システム。
【請求項１０】
請求項１〜請求項７のいずれかに記載のワーク保持部材を備えた電解処理装置であって、
当該ワーク保持部材をガイドレールに沿って垂直搬送駆動させると共に、前記電流センサ装置に対する給電を外部から行う給電経路を有する駆動チェーンを備えたことを特徴とする電解処理装置。
【発明の詳細な説明】
【技術分野】
【０００１】
本件発明は、ワーク保持部材、そのワーク保持部材を備えた電解処理装置の給電監視システム、及び、そのワーク保持部材を備えた電解処理装置に関する。
【背景技術】
【０００２】
従来より、電子部品の表面に電解めっき等の電解処理を施す場合、バッチ式や連続式等の電解処理装置が用いられている。ここで、電解処理を施した電子部品等のワークを大量生産する場合には、一般的に連続式の電解処理装置が用いられる。この連続式の電解処理装置において、矩形板状のワークを処理する場合、当該ワークの上端部をクランプ等の把持部材が設けられたワーク保持部材によって保持し、電解処理槽内の電解処理溶液中に当該ワークを浸漬し、当該ワーク保持部材を搬送軌道に沿って移動させながら当該ワークに電流を流すことにより、連続的な電解処理が行なわれる。
【０００３】
例えば、この種の電解処理装置として、特許文献１に示す表面処理装置が挙げられる。当該特許文献１の表面処理装置は、搬送方向に延設されたガイドレールに支持された治具を介して当該治具に保持されたワークを搬送可能な搬送手段と、搬送中のワークに当該治具を介して給電する給電手段とを有し、表面処理槽内でワークを連続搬送且つ給電しつつワークに表面処理を施すものであって、当該治具を当該ガイドレールに転がり係合機構を介して支持させると共に、当該給電手段が搬送方向に延設された給電レールと当該治具側に装着され且つ給電レールと摺接して集電可能な集電子とを含んで形成されたものである。
【先行技術文献】
【特許文献】
【０００４】
【特許文献１】特開２００３−１３２９６号公報
【発明の概要】
【発明が解決しようとする課題】
【０００５】
上述したように、特許文献１の表面処理装置では、ガイドレールに支持された治具（ワーク保持部材）にワークを取り付け、表面処理槽内でワークを連続搬送し、且つ、当該治具を介してワークに給電してワークの表面処理を行っている。ワークを保持する治具は、直接めっき浴に浸漬されていない部分であっても、めっき浴から発生した蒸気等により酸化され、腐食が発生してしまう。また、酸化により膨張した治具は、当該治具を構成するねじ等の固定手段の緩みの原因となる。ワークへの給電経路を構成する当該治具に固定手段の緩んだ箇所や腐食箇所が存在すると、当該箇所において導通不良を生じ、当該ワークの被処理面において形成されるめっき層が局所的に薄くなる等の不都合が生じてしまう。
【０００６】
しかし、特許文献１は、個々のワークに所定の電流が確実に流れたことを確認するものではない。抵抗値が他よりも高いワーク保持部材は、設定した電流値を確保することが出来なくなることから、当該ワーク保持部材により保持されたワークに形成されるめっき層の厚みが不均一となり、当該ワークの被処理面全体を均一にめっき処理することが出来ないという問題がある。
【０００７】
上述した従来の問題に鑑み、市場からは、安定した電解処理が可能となるよう、ワークを保持し且つワークへの給電経路を構成するワーク保持部材における給電状態を容易に監視することが望まれていた。
【０００８】
そこで、本件発明は、ワークを保持し且つワークへの給電経路を構成するワーク保持部材における給電状態を容易に監視することの出来るワーク保持部材、そのワーク保持部材を備えた電解処理装置の給電監視システム、及び、そのワーク保持部材を備えた電解処理装置を提供することを目的とする。
【課題を解決するための手段】
【０００９】
本件発明に係るワーク保持部材は、電解処理溶液中にワークを浸漬した状態で保持し、且つ、当該ワークに給電するものであって、当該ワークへの給電量を監視する電流センサ装置を備えたことを特徴とする。
【００１０】
本件発明に係る電解処理装置の給電監視システムは、上述したワーク保持部材を備えた電解処理装置の給電監視システムであって、上述した電流センサ装置を用いて当該ワーク保持部材への給電量を監視し、当該給電量が異常値であるとき、当該ワーク保持部材への給電不良を検出することを特徴とする。
【００１１】
本件発明に係る電解処理装置は、上述したワーク保持部材を備えた電解処理装置であって、当該ワーク保持部材をガイドレールに沿って垂直搬送駆動させると共に、上述した電流センサ装置に対する給電を外部から行う給電経路を有する駆動チェーンを備えたことを特徴とする。
【発明の効果】
【００１２】
本件発明に係るワーク保持部材、そのワーク保持部材を備えた電解処理装置の給電監視システム、及び、そのワーク保持部材を備えた電解処理装置は、ワークを保持し且つワークへの給電経路を構成するワーク保持部材における給電状態を容易に監視することが出来る。従って、本件発明によれば、ワークに対する電解処理に不具合が生じた場合に、迅速に対応することができ、安定した電解処理を行うことが可能となる。
【図面の簡単な説明】
【００１３】
【図１】本件発明の一実施形態に係る電解処理装置の概略構成図である。
【図２】本件発明の一実施形態に係るワーク保持部材の正面図である。
【図３】本件発明の一実施形態に係るワーク保持部材の側面図である。
【図４】本件発明の一実施形態に係る電流センサ装置の構成を例示する制御ブロック図である。
【図５】本件発明の一実施形態に係る給電監視システムの動作を説明する概略図である。
【発明を実施するための形態】
【００１４】
以下、図を用いながら、本件発明に係るワーク保持部材を複数備えた電解処理装置の給電監視システムについて説明する。本実施の形態における複数のワーク保持部材は、それぞれ個別に電流センサ装置を備えている。本件発明の給電監視システムは、このような構成において、各電流センサ装置が当該給電監視システムを構成する主制御装置と通信することにより、各ワーク保持部材に保持されたワークの電解処理の良不良を監視することができ、当該ワークのトレーサビリティを確保することが出来る。以下、当該電解処理装置について説明した後、給電監視システムについて説明する。
【００１５】
＜電解処理装置＞
本件発明に係る電解処理装置１０は、後述するワーク保持部材１を構成に備え、当該ワーク保持部材１をガイドレール１３に沿って垂直搬送駆動させるものである。
【００１６】
本実施の形態の電解処理装置１０は、電解処理溶液（めっき処理溶液）５０を貯留した電解処理槽１１内にワークＷを浸漬した状態で、当該ワークＷ（カソード）と陽極電極１２（アノード）との間に給電し、当該ワークＷの被処理面ＷＳを電解処理（めっき処理）する装置である。当該電解処理装置１０は、電解処理溶液５０中に複数のワーク保持部材１によって複数のワークＷを浸漬させた状態で、これらワークＷの搬送を行うと共に各ワークＷに対して給電を行う、所謂連続式の電解処理装置１０である。本実施の形態の電解処理装置１０は、電解処理溶液５０を貯留する電解処理槽１１と、当該電解処理溶液５０中に浸漬して陽極面を構成する一対の陽極電極１２，１２と、ワークＷを保持して搬送を行うワーク保持部材１に対して給電を行うガイドレール１３とを構成に備える。以下に、これら構成要素毎に説明する。
【００１７】
電解処理槽：  本実施の形態の電解処理槽１１は、その上面に開口が設けられ、ワークＷを連続的に電解処理可能なように、当該ワークＷが搬送される方向に沿って構成されている。当該電解処理槽１１内に貯留される電解処理溶液５０は、ワークＷの被処理面ＷＳに所望の電解処理層を形成するために適した成分を適宜選択して用いることが出来る。
【００１８】
陽極電極：  本実施の形態の陽極電極１２，１２には、外部電源（不図示）の陽極が電気的に接続され、電解処理槽１１の長手方向に沿って所定間隔をおいて対向配置される。このときに、当該陽極電極１２，１２の間には、ワーク搬送経路１５が構成される。各陽極電極１２は、通常、矩形板状を成したステンレス、白金、カーボン等の不溶性材料にて構成される。ただし、本実施の形態において、各陽極電極１２を構成する材料は、不溶性電極として通常用いられているものであればよく、これらの材料に限定されない。
【００１９】
ガイドレール：  本実施の形態のガイドレール１３は、上述したワーク搬送経路１５に沿って配置される。ここで、当該ガイドレール１３は、外部電源（不図示）の陰極が電気的に接続された給電レール（不図示）を付設することが出来る。この場合、ワーク保持部材１は、当該給電レールと接触可能な被給電部（不図示）を設けることで、搬送中の複数のワークＷに対して印加する電流を常に一定とすることが出来る。
【００２０】
また、本実施の形態の電解処理装置１０に備わるガイドレール１３には、ワーク保持部材１を当該ガイドレール１３に沿って一定の速度で移動させるための駆動チェーン１４が付設される。本実施の形態の電解処理装置１０は、当該ワーク保持部材１が当該駆動チェーン１４に支持可能な構造（支持手段）を備えることで、当該駆動チェーン１４の駆動に伴い、ワークＷを搬送方向に沿って移動させることが出来る。
【００２１】
本実施の形態の電解処理装置１０において、上述した駆動チェーン１４には、後述する電流センサ装置２に対する給電を外部から行うための給電経路が設けられる。本実施の形態の電解処理装置１０は、当該駆動チェーン１４に設けられる給電経路に流れる電流を、例えば上述した支持手段を介して当該電流センサ装置２に給電させる構造とすることで、当該電流センサ装置２への給電を支障なく行うことが出来る。
【００２２】
以上に本実施の形態の電解処理装置１０について説明したが、当該電解処理装置１０は、後述する技術的特徴を備えたワーク保持部材１を複数備えることで、複数のワークＷへの給電を確実に行うことができ、また、複数のワークＷにおける電解処理不良の発生を早期に検出することが出来る。以下、本件発明に係る電解処理装置１０が備えるワーク保持部材１について説明する。
【００２３】
＜ワーク保持部材＞
本件発明に係るワーク保持部材１は、電解処理溶液５０中にワークＷを浸漬した状態で保持し、且つ、当該ワークＷに給電するものである。本実施の形態では、ワークＷとして、矩形板状形状を呈したものを用いる。しかし、本件発明において用いられるワークＷは、矩形板状形状を呈したものに限定されるものではない。当該ワークＷは、ワーク保持部材１によって保持された状態で、当該ワーク保持部材１を介して給電がされるものであれば、如何なる形状であってもよい。
【００２４】
本件発明に係るワーク保持部材１は、当該ワークＷへの給電量を監視する後述の電流センサ装置２を備えたものである。
【００２５】
本実施の形態のワーク保持部材１は、当該電流センサ装置２の他に、当該ワーク保持部材１を上述したガイドレール１３に沿って垂直搬送駆動させるために上述した駆動チェーン１４に支持するアーム４と、当該アーム４に固定されて当該ワークＷの被処理面ＷＳ内を略均一に給電するための給電バー５と、当該給電バー５に固定されて当該ワークＷを着脱自在に挟持する複数の把持部材（クランプ）６とを構成に備える。そして、ワークＷの被処理面ＷＳに電解処理層を形成するため、当該ワークＷを電解処理溶液５０内に浸漬した状態で保持する。以下に、これら構成要素について説明する。
【００２６】
アーム：  本実施の形態のアーム４は、上述したガイドレール１３に沿ってワーク保持部材１を垂直搬送駆動させるために、当該ガイドレール１３に付設されて当該ワーク保持部材１を搬送駆動する駆動チェーン１４と噛み合い可能な支持手段が設けられる。当該支持手段としては、例えば当該駆動チェーン１４と噛み合い可能なギア７等を設ける構造を採用することが出来る。当該支持手段としてギア７を用いる場合は、ワンウェイクラッチ方式のギア７を用いることにより、ワーク保持部材１の搬送を安定させることができ、好ましい。
【００２７】
給電バー：  本実施の形態の給電バー５は、断面形状が一定で且つ長手方向に直線状に延びて形成されたものである。当該給電バー５は、電解処理槽１１の長手方向に沿って配置される。当該給電バー５は、例えば、ねじ等の固定手段を用いて上述したアーム４に固定される。
【００２８】
把持部材：  本実施の形態の把持部材６は、ワークＷを着脱自在に挟持するために、上述した給電バー５の長手方向に沿って複数設けられる。当該把持部材６は、当該ワークＷを着脱可能であればよく、構造に関して特に問わない。当該把持部材６は、例えば、ねじ等の固定手段を用いて当該給電バー５に固定される。
【００２９】
上述した、アーム４、給電バー５、及び把持部材６は、いずれも上述したガイドレール１３からワークＷへ至る給電経路を構成する。よって、これらアーム４、給電バー５、及び把持部材６は、通常、導電性材料にて構成される。
【００３０】
電流センサ装置：  本実施の形態の電流センサ装置２は、ワークＷへの給電量を監視するために、ワーク保持部材１に備えられる。本実施の形態の電流センサ装置２は、複数あるワーク保持部材１の各々に備えられることで（図４に示す電流センサ装置２Ａ、２Ｂ、２Ｃ〜２ｎを参照のこと）、各ワーク保持部材１に保持されるワークＷへの給電量を逐次監視することが出来る。ここで、当該電流センサ装置２は、当該ワーク保持部材１により保持されるワークＷへの給電量を把握可能なものであればよく、構造等に関しては特に限定されない。
【００３１】
本件発明に係るワーク保持部材１は、上述した電流センサ装置２が、上述した給電経路に流れる電流値を取得する電流値取得部２０と、当該電流値取得部２０が取得した電流値に関する情報を無線送信する通信部２２と、当該電流値取得部２０及び当該通信部２２の動作を制御する制御部２１と、当該電流値取得部２０と当該通信部２２と当該制御部２１との少なくともいずれかに給電する給電部２３とを構成に備えたことが好ましい（図４を参照のこと。）。以下に、これら構成について説明する。
【００３２】
本件発明の電流値取得部２０は、上述したワーク保持部材１に備わる給電経路に流れる電流値を取得するために備えられるものである。ここで、電流値取得部２０は、当該電流値を取得するに際し、当該給電経路にシャント抵抗３を接続し当該シャント抵抗３から出力された電圧値を検出する電圧検出部（不図示）と、当該電圧検出部が検出した電圧値と当該シャント抵抗３の抵抗値に基づいて当該給電経路に流れる電流値を算出する算出部（不図示）を備えることが出来る。本件発明の電流値取得部２０は、シャント抵抗３を備えることで、当該給電経路に大電流が流れたとしてもワークＷへの給電量の良否を正確に判定することが出来る。なお、シャント抵抗３に関しては、周知のものであるため、ここでの詳細な説明は省く。以上に、本件発明の電流値取得部２０にシャント抵抗３を用いたものを示したが、本件発明の電流値取得部２０は、当該給電経路に流れる電流値を取得するために当該シャント抵抗３ではなく従来周知の電流センサを用いることも出来る。
【００３３】
本件発明の通信部２２は、上述した電流値取得部２０が取得した電流値に関する情報を、例えばＰＣやスマートフォン等の給電監視システム側制御装置４０に対して無線送信するものである。ここで、当該制御装置４０に伝送された電流値に関する情報は、作業者が当該制御装置４０に備わるディスプレイ（不図示）等で即時に確認することができ、電解処理に問題が生じた場合に迅速に対応することが出来る。例えば、通信部２２は、無線通信方式として従来公知の近距離無線方式を適宜採用することが出来る。
【００３４】
本件発明の制御部２１は、ＣＰＵやＲＡＭ等を有する汎用のマイクロコンピュータにより構成されている。当該制御部２１は、その入力側に上述した電流値取得部２０が接続され、その出力側に上述した通信部２２が接続され、これら電流値取得部２０及び通信部２２の動作を制御する。当該制御部２１は、当該電流値取得部２０から取得した電流値に関わる情報を通信部２２に伝送する。
【００３５】
また、制御部２１は、電流値取得部２０が上述したように電圧検出部と算出部からなる場合に、当該算出部を兼ねたものとすることが出来る。この場合、制御部２１は、当該電圧検出部で検出された電圧値に基づき演算処理を行い、電流値を算出する。例えば、電流値取得部２０がワーク保持部材１における給電経路にシャント抵抗３を接続した場合、制御部２１は、電流値取得部２０が取得した情報（シャント抵抗３両端の電圧値）と当該シャント抵抗３自体の抵抗値を用いて演算処理を行い、当該給電経路に流れる電流値を算出する。
【００３６】
更に、制御部２１は、電流値取得部２０が取得した電流値に関する情報を予め記録された基準情報と比較して、各ワークＷに施される電解処理に対して問題の有無を判定し、その結果を通信部２２に伝達することも出来る。
【００３７】
本件発明の給電部２３は、上述した電流値取得部２０、通信部２２、及び／又は制御部２１に給電を行い、これらを動作可能にすることが出来る。当該給電部２３は、これら電流値取得部２０、通信部２２、及び／又は制御部２１に給電を行うことが可能であればよく、構造等に関しては特に限定されない。
【００３８】
ここで、本件発明の給電部２３は、電池からなることが好ましい。当該給電部２３が電池であることで、電流センサ装置２は、小型化が図られると共に汎用性に優れたものとなる。そのため、連続式の電解処理装置１０において、従来では構造上困難とされていた、全てのワーク保持部材１について給電量の異常の有無の監視を行うことが可能となる。また、本件発明の給電部２３は、電池であることで、電流センサ装置２をメンテナンス性に優れたものとすることが出来る。
【００３９】
以上に、本件発明の電流センサ装置２に関する基本構成について説明したが、当該電流センサ装置２は、上述したワーク保持部材１を電解処理する工程の前段に設けられる第１近接スイッチ３０ａにより上述した電流値取得部２０への通電を開始し、当該ワーク保持部材１を電解処理する工程の後段に設けられる第２近接スイッチ３０ｂにより当該電流値取得部２０への通電を停止する開閉スイッチ２４を更に備えることが好ましい。本件発明の電流センサ装置２は、ワークＷを電解処理する工程の前段と後段とで近接スイッチ３０を用いて電流値取得部２０への導通状態を切り替える開閉スイッチ２４を備えることで、消費電力を軽減させることが可能となる。なお、当該近接スイッチ３０に関しては、以下で説明する。
【００４０】
＜給電監視システム＞
次に、本件発明に係る電解処理装置１０の給電監視システムについて説明する。本件発明の給電監視システムは、上述したワーク保持部材１を構成に備える電解処理装置１０の給電監視システムである。そして、本件発明の給電監視システムは、上述した電流センサ装置２を用いて当該ワーク保持部材１への給電量を監視し、取得した給電量が異常値であるときに、当該ワーク保持部材１への給電不良を検出するものである。
【００４１】
本件発明の給電監視システムは、上述したワーク保持部材１を構成に備えることで、電解処理を行うワークＷへの給電量の異常を即時に検知することが出来る。具体的には、本件発明の給電監視システムは、上述した電流センサ装置２により取得された電流値が予め設定した閾値範囲外である場合にワークＷへの給電不良を検知する。従って、本件発明の給電監視システムによれば、例え使用されるワーク保持部材１の数が多くなろうとも、全てのワーク保持部材１への給電量を監視することが出来る。また、この場合に、全てのワーク保持部材１への給電量をリアルタイムで監視することも可能である。
【００４２】
また、本件発明の給電監視システムは、上述したワーク保持部材１への給電不良を検知した場合、警報動作を実行することが好ましい。本件発明の給電監視システムは、ワーク保持部材１への給電量の異常を検知した場合に警報動作を実行する警報手段（不図示）を備えることで、作業者の監視負担を軽減させることが出来る。本件発明の給電監視システムは、例えば、上述した給電監視システム側制御装置の出力側に、異常発生を表示する警報手段としての要素を兼ね備えた表示装置を接続したり、警報手段としてのブザー等を接続することが出来る。
【００４３】
そして、本件発明の給電監視システムは、上述したように、電流センサ装置２が開閉スイッチ２４を備えた場合に、当該開閉スイッチ２４の導通状態を切り替える近接スイッチ３０を備えることが出来る。ここでいう近接スイッチ３０とは、可動部による機械的接触なしに動作する位置検出スイッチのことである。当該近接スイッチ３０には、検出領域内発生する磁界の変化を検知して作動する誘導形近接スイッチや、磁気検出素子と磁石の組み合わせにより検出体が接近したときの磁束変化を検知して作動する磁気形近接スイッチ等が挙げられる。これら近接スイッチは、周知であるため、ここでの詳細な説明は省略する。
【００４４】
以上に本件発明の給電監視システムについて説明したが、上述した構成による本実施の形態の給電監視システムの動作について以下に説明する。以下では、一般的な連続式の電解処理装置を用いて行う電解めっき処理の流れを例に挙げ、本件発明の効果を過不足なく述べる。
【００４５】
本実施の形態のワークＷは、矩形板状形状を呈したものである。まず、当該ワークＷが、ワーク保持部材１の把持部材６に取り付けられ、当該ワーク保持部材１に吊下される。ここで、当該把持部材６は、給電バー５の両端部に少なくとも１つずつ備わることで、当該ワーク保持部材１が当該ワークＷを安定的に保持することが出来る。本実施の形態の給電監視システムでは、連続式の電解処理装置１０を用いる。そのため、複数のワーク保持部材１のそれぞれにめっき処理を行うワークＷが保持される。
【００４６】
そして、ワークＷを保持したワーク保持部材１は、アーム４を介してガイドレール１３に支持される。本実施の形態の給電監視システムの動作では、当該ワーク保持部材１が、ガイドレール１３に付設される駆動チェーン１４に支持手段となるギア７を介して支持され、当該駆動チェーン１４の駆動により当該ガイドレール１３に沿って電解めっき処理槽１１内を搬送される。このときに当該ギア７は、一方向にのみ回転するワンウェイクラッチ方式のもの等を採用することで、複数のワーク保持部材１を略等間隔で搬送させることができ、品質の安定化を図ることが出来る。なお、本実施の形態の電解処理装置１０は、電解めっき処理槽１１のワークＷ搬送方向上流側に、当該ワークＷの表面を前処理する複数の工程（ワークＷの表面の脱脂処理、湯洗処理、水洗処理、酸洗浄等）を行うための処理槽を備える。
【００４７】
本実施の形態の給電監視システムの動作では、図５に示す如く、ガイドレール１３に沿って電解処理装置１０内を搬送されるワーク保持部材１を、電解めっき処理槽１１の真上に差し掛かった所で下降させて液中搬送用のガイドレール１３ａに移し替え、ワークＷをめっき処理溶液５０中に浸漬させた状態で再び搬送する。また、当該ワークＷをめっき処理溶液５０中から取り出す場合には、電解めっき処理槽１１の端部付近に差し掛かった所で当該ワーク保持部材１を電解めっき処理槽１１の真上に上昇させて再度ガイドレール１３に移し替える
【００４８】
電解めっき処理槽１１内に貯留されためっき処理溶液５０中にワークＷが浸漬されると、当該ワークＷは、当該電解めっき処理槽１１内に対向配置された陽極電極１２，１２との間のワーク搬送経路１５を移動する。このときに、当該対向配置された陽極電極１２，１２と、陰極となるワークＷとの間に給電が行われることによって、電解めっき処理槽１１内のめっき処理溶液５０が電気分解され、ワークＷの被処理面ＷＳにめっき処理層が形成される。ここで、当該ワークＷを保持するワーク保持部材１のアーム４が、ガイドレール１３に付設された給電レールと接触することにより、アーム４と、給電バー５と、把持部材６とを通る給電経路を介して陰極が電気的に接続され、ワークＷに定電圧が印加される。そして、当該ワークＷの各陽極電極１２と対峙する面が被処理面ＷＳとなる。
【００４９】
ここで、本実施の形態の給電監視システムでは、ワークＷをめっき処理溶液５０中に浸漬させている間にワークＷへの給電量の良否判定を行う電流センサ装置２を構成に備える。当該電流センサ装置２は、ワーク保持部材１の給電経路に流れる電流値を取得する電流値取得部２０と、当該電流値取得部２０が取得した電流値に関する情報を無線送信する通信部２２と、当該電流値取得部２０及び当該通信部２２の動作を制御する制御部２１と、当該電流値取得部２０と当該通信部２２と当該制御部２１との少なくともいずれかに給電する給電部２３とを構成に備える。当該電流センサ装置２によれば、膜厚計等を用いなくともワークＷの被処理面ＷＳにおける電解処理層の平均厚さについて確認することが可能となる。また、当該電流センサ装置２は、電流値取得部２０がワーク保持部材１の給電経路にシャント抵抗３を接続し当該シャント抵抗３両端の電圧値を検出し、当該電圧値と当該シャント抵抗３の抵抗値に基づいて当該給電経路に流れる電流値を算出する算出部を備えることで、ワークＷへの給電量の良否判定を正確且つ安定的に行うことが出来る。当該シャント抵抗３は、ワーク保持部材１の給電経路に流れる電流の大きさに適合した条件のものが選定される。
【００５０】
ところで、本実施の形態の給電監視システムでは、当該電流センサ装置２への給電は、当該電流センサ装置２に備わる給電部２３を電池としたり、駆動チェーン１４に給電経路を形成して外部からも給電が行えるようにすることが出来る。なお、当該電池を充電池とし、当該駆動チェーン１４から当該充電池に対して充電を行うようにすることも可能である。本実施の形態の給電監視システムは、このような構成とすることで、当該電池の長寿命化を図ることができ、当該ワーク保持部材１のメンテナンス性を向上させることが可能となる。また、複数のワーク保持部材１のそれぞれに電流センサ装置２を設置して、これら複数のワーク保持部材１に保持される全てのワークＷに対する処理不良の監視を長期間に亘り安定的に行うことが出来る。
【００５１】
また、本実施の形態の給電監視システムでは、当該通信部２２からの情報を伝達するための制御装置４０を外部に備えることができ、当該制御装置４０の出力側に警報手段（不図示）を備える。従って、本実施の形態の給電監視システムでは、電流センサ装置２が、ワークＷへの給電量の異常を検知した場合にブザーを鳴らす等の警報動作を行い、作業者の監視負担を軽減させることが出来る。なお、当該給電監視システムでは、警報動作を行う際に、ワークＷの搬送を停止すると共に、外部電源（不図示）からの給電を停止する緊急停止動作を行うことも可能である。また、当該給電監視システムでは、例えば、給電量の異常が検知されたワーク保持部材１を、ロボットにより選り分けるようにすることも出来る。
【００５２】
そして、本実施の形態の給電監視システムでは、電流センサ装置２が、ワーク保持部材１を電解処理する前のワーク搬送経路１５付近に第１近接スイッチ３０ａを配置して当該電流値取得部２０への給電を開始させ、当該ワーク保持部材１を電解処理した後のワーク搬送経路１５付近に第２近接スイッチ３０ｂを配置して電流値取得部２０への給電を終了するよう、開閉スイッチ２４を備える。本実施の形態の電解処理装置１０の給電監視システムは、このような構成を採用することで、消費電力の削減を図ることができ、製造コストを低下させることが出来る。また、このときに、制御部２１が通信部２２の動作を制御して、電流値に関する情報の無線通信を止めることで、当該電解処理装置１０の給電監視システム全体の通信量を減らして混信を抑制することが出来る。
【００５３】
なお、図５には、当該第１近接スイッチ３０ａが当該ワーク保持部材１を液中搬送用のガイドレール１３ａに移し替える直前のワーク搬送経路１５付近に配置され、当該第２近接スイッチ３０ｂが当該ワーク保持部材１を再びガイドレール１３に移し替えた直後のワーク搬送経路１５付近に配置されているのが示されている。しかし、これら第１近接スイッチ３０ａ及び第２近接スイッチ３０ｂの配置位置は、図５に示す位置に限定されるものではない。例えば、当該第１近接スイッチ３０ａを当該ワーク保持部材１を液中搬送用のガイドレール１３ａに移し替えた直後のワーク搬送経路１５付近に配置し、当該第２近接スイッチ３０ｂを当該ワーク保持部材１を再びガイドレール１３に移し替える直前のワーク搬送経路１５付近に配置することが出来る。
【００５４】
以上に本実施の形態の給電監視システムの動作について説明したが、本件発明では、複数あるワーク保持部材１それぞれに電流センサ装置２が備えられることで、各ワーク保持部材１への給電量を一元管理し、当該給電量に異常が生じているワーク保持部材１を迅速に作業者に報知させることが出来る。
【００５５】
以上、本件発明に係るワーク保持部材１、そのワーク保持部材１を備えた電解処理装置１０の給電監視システム、及び、そのワーク保持部材１を備えた電解処理装置１０について説明したが、本件発明によれば電解処理不良が発生するワークＷを即時に検知することが出来る。従って、本件発明によれば、ワーク保持部材１の導通不良により発生するワークＷにおける局所的な電解処理層の厚み不足の発生を未然に回避し、ワークＷの被処理面ＷＳ全体を均一に電解処理することが出来る。また、本件発明によれば、電解処理不良が発生したワークＷを特定し迅速に対応することが出来るため、品質管理が容易となる。
【００５６】
なお、以上では、本件発明の電解処理装置１０は、めっき装置として用いることのみ説明したが、これに限定されない。例えば、本件発明の電解処理装置１０は、エッチング処理装置としても用いることが出来る。また、以上では、本実施の形態の電解処理装置１０は、連続式のもののみ説明したが、本件発明に係る電解処理装置１０は、これに限定されず、例えばバッチ式や水平搬送式のものを用いることも出来る。
【産業上の利用可能性】
【００５７】
本件発明は、ワーク保持部材１の導通不良により発生する局所的なめっき厚不足の発生を未然に回避する。従って、本件発明によれば、あらゆる電解処理製品の品質の安定化及び低価格化を図ることが可能となる。
【符号の説明】
【００５８】
Ｗ    ワーク（カソード）
ＷＳ    被処理面
１    ワーク保持部材
２    電流センサ装置
３    シャント抵抗
４    アーム
５    給電バー
６    把持部材
７    ギア（支持手段）
１０    電解処理装置
１１    電解処理槽（電解めっき処理槽）
１２    陽極電極（アノード）
１３    ガイドレール
１３ａ  ガイドレール（電解処理溶液中搬送用）
１４    駆動チェーン（給電経路）
１５    ワーク搬送経路
２０    電流値取得部
２１    制御部
２２    通信部
２３    給電部
２４    開閉スイッチ
３０    近接スイッチ
３０ａ  第１近接スイッチ
３０ｂ  第２近接スイッチ
４０    制御装置（給電監視システム側）
５０    電解処理溶液（めっき処理溶液）
【図１】
2020012144.tif 000003
【図２】
2020012144.tif 000004
【図３】
2020012144.tif 000005
【図４】
2020012144.tif 000006
【図５】
2020012144.tif 000007
【手続補正書】
【提出日】令和1年11月28日(2019.11.28)
【手続補正１】
【補正対象書類名】特許請求の範囲
【補正対象項目名】全文
【補正方法】変更
【補正の内容】
【特許請求の範囲】
【請求項１】
電解処理溶液中にワークを浸漬した状態で保持し、且つ、当該ワークに給電し、当該ワークへの給電量を監視する電流センサ装置を備えるワーク保持部材を備えた電解処理装置であって、
当該ワーク保持部材をガイドレールに沿って垂直搬送駆動させると共に、当該電流センサ装置に対する給電を外部から行う給電経路を有する駆動チェーンを備えたことを特徴とする電解処理装置。
【請求項２】
前記電流センサ装置は、前記ワークへの給電経路に流れる電流値を取得する電流値取得部を備えた請求項１に記載の電解処理装置。
【請求項３】
前記電流値取得部は、前記ワークへの給電経路にシャント抵抗を接続し当該シャント抵抗から出力された電圧値を検出する電圧検出部と、当該電圧検出部が検出した電圧値と当該シャント抵抗の抵抗値に基づいて当該給電経路に流れる電流値を算出する算出部とを備えた請求項２に記載の電解処理装置。
【請求項４】
前記電流センサ装置は、前記電流値取得部が取得した電流値に関する情報を無線送信する通信部と、当該電流値取得部及び当該通信部の動作を制御する制御部とを備えた請求項２又は請求項３に記載の電解処理装置。
【請求項５】
前記電流センサ装置は、前記電流値取得部、前記通信部、及び／又は前記制御部とに給電する給電部を備えた請求項４に記載の電解処理装置。
【請求項６】
前記電流センサ装置は、前記ワーク保持部材を電解処理する工程の前段に設けられる第１近接スイッチにより前記電流値取得部への通電を開始し、当該ワーク保持部材を電解処理する工程の後段に設けられる第２近接スイッチにより当該電流値取得部への通電を停止する開閉スイッチを更に備えた請求項２〜請求項５のいずれかに記載の電解処理装置。
【請求項７】
前記給電部は、電池からなる請求項５に記載の電解処理装置。
【手続補正２】
【補正対象書類名】明細書
【補正対象項目名】全文
【補正方法】変更
【補正の内容】
【発明の詳細な説明】
【技術分野】
【０００１】
本件発明は、ワーク保持部材を備えた電解処理装置に関する。
【背景技術】
【０００２】
従来より、電子部品の表面に電解めっき等の電解処理を施す場合、バッチ式や連続式等の電解処理装置が用いられている。ここで、電解処理を施した電子部品等のワークを大量生産する場合には、一般的に連続式の電解処理装置が用いられる。この連続式の電解処理装置において、矩形板状のワークを処理する場合、当該ワークの上端部をクランプ等の把持部材が設けられたワーク保持部材によって保持し、電解処理槽内の電解処理溶液中に当該ワークを浸漬し、当該ワーク保持部材を搬送軌道に沿って移動させながら当該ワークに電流を流すことにより、連続的な電解処理が行なわれる。
【０００３】
例えば、この種の電解処理装置として、特許文献１に示す表面処理装置が挙げられる。当該特許文献１の表面処理装置は、搬送方向に延設されたガイドレールに支持された治具を介して当該治具に保持されたワークを搬送可能な搬送手段と、搬送中のワークに当該治具を介して給電する給電手段とを有し、表面処理槽内でワークを連続搬送且つ給電しつつワークに表面処理を施すものであって、当該治具を当該ガイドレールに転がり係合機構を介して支持させると共に、当該給電手段が搬送方向に延設された給電レールと当該治具側に装着され且つ給電レールと摺接して集電可能な集電子とを含んで形成されたものである。
【先行技術文献】
【特許文献】
【０００４】
【特許文献１】特開２００３−１３２９６号公報
【発明の概要】
【発明が解決しようとする課題】
【０００５】
上述したように、特許文献１の表面処理装置では、ガイドレールに支持された治具（ワーク保持部材）にワークを取り付け、表面処理槽内でワークを連続搬送し、且つ、当該治具を介してワークに給電してワークの表面処理を行っている。ワークを保持する治具は、直接めっき浴に浸漬されていない部分であっても、めっき浴から発生した蒸気等により酸化され、腐食が発生してしまう。また、酸化により膨張した治具は、当該治具を構成するねじ等の固定手段の緩みの原因となる。ワークへの給電経路を構成する当該治具に固定手段の緩んだ箇所や腐食箇所が存在すると、当該箇所において導通不良を生じ、当該ワークの被処理面において形成されるめっき層が局所的に薄くなる等の不都合が生じてしまう。
【０００６】
しかし、特許文献１は、個々のワークに所定の電流が確実に流れたことを確認するものではない。抵抗値が他よりも高いワーク保持部材は、設定した電流値を確保することが出来なくなることから、当該ワーク保持部材により保持されたワークに形成されるめっき層の厚みが不均一となり、当該ワークの被処理面全体を均一にめっき処理することが出来ないという問題がある。
【０００７】
上述した従来の問題に鑑み、市場からは、安定した電解処理が可能となるよう、ワークを保持し且つワークへの給電経路を構成するワーク保持部材における給電状態を容易に監視することが望まれていた。
【０００８】
そこで、本件発明は、ワークを保持し且つワークへの給電経路を構成するワーク保持部材における給電状態を容易に監視することの出来るワーク保持部材を備えた電解処理装置を提供することを目的とする。
【課題を解決するための手段】
【０００９】
本件発明に係る電解処理装置は、電解処理溶液中にワークを浸漬した状態で保持し、且つ、当該ワークに給電し、当該ワークへの給電量を監視する電流センサ装置を備えるワーク保持部材を備えた電解処理装置であって、当該ワーク保持部材をガイドレールに沿って垂直搬送駆動させると共に、当該電流センサ装置に対する給電を外部から行う給電経路を有する駆動チェーンを備えたことを特徴とする。
【発明の効果】
【００１０】
本件発明に係る電解処理装置は、ワークを保持し且つワークへの給電経路を構成するワーク保持部材における給電状態を容易に監視することが出来る。従って、本件発明によれば、ワークに対する電解処理に不具合が生じた場合に、迅速に対応することができ、安定した電解処理を行うことが可能となる。
【図面の簡単な説明】
【００１１】
【図１】本件発明の一実施形態に係る電解処理装置の概略構成図である。
【図２】本件発明の一実施形態に係るワーク保持部材の正面図である。
【図３】本件発明の一実施形態に係るワーク保持部材の側面図である。
【図４】本件発明の一実施形態に係る電流センサ装置の構成を例示する制御ブロック図である。
【図５】本件発明の一実施形態に係る給電監視システムの動作を説明する概略図である。
【発明を実施するための形態】
【００１２】
以下、図を用いながら、本件発明に係るワーク保持部材を複数備えた電解処理装置の給電監視システムについて説明する。本実施の形態における複数のワーク保持部材は、それぞれ個別に電流センサ装置を備えている。本件発明の給電監視システムは、このような構成において、各電流センサ装置が当該給電監視システムを構成する主制御装置と通信することにより、各ワーク保持部材に保持されたワークの電解処理の良不良を監視することができ、当該ワークのトレーサビリティを確保することが出来る。以下、当該電解処理装置について説明した後、給電監視システムについて説明する。
【００１３】
＜電解処理装置＞
本件発明に係る電解処理装置１０は、後述するワーク保持部材１を構成に備え、当該ワーク保持部材１をガイドレール１３に沿って垂直搬送駆動させるものである。
【００１４】
本実施の形態の電解処理装置１０は、電解処理溶液（めっき処理溶液）５０を貯留した電解処理槽１１内にワークＷを浸漬した状態で、当該ワークＷ（カソード）と陽極電極１２（アノード）との間に給電し、当該ワークＷの被処理面ＷＳを電解処理（めっき処理）する装置である。当該電解処理装置１０は、電解処理溶液５０中に複数のワーク保持部材１によって複数のワークＷを浸漬させた状態で、これらワークＷの搬送を行うと共に各ワークＷに対して給電を行う、所謂連続式の電解処理装置１０である。本実施の形態の電解処理装置１０は、電解処理溶液５０を貯留する電解処理槽１１と、当該電解処理溶液５０中に浸漬して陽極面を構成する一対の陽極電極１２，１２と、ワークＷを保持して搬送を行うワーク保持部材１に対して給電を行うガイドレール１３とを構成に備える。以下に、これら構成要素毎に説明する。
【００１５】
電解処理槽：  本実施の形態の電解処理槽１１は、その上面に開口が設けられ、ワークＷを連続的に電解処理可能なように、当該ワークＷが搬送される方向に沿って構成されている。当該電解処理槽１１内に貯留される電解処理溶液５０は、ワークＷの被処理面ＷＳに所望の電解処理層を形成するために適した成分を適宜選択して用いることが出来る。
【００１６】
陽極電極：  本実施の形態の陽極電極１２，１２には、外部電源（不図示）の陽極が電気的に接続され、電解処理槽１１の長手方向に沿って所定間隔をおいて対向配置される。このときに、当該陽極電極１２，１２の間には、ワーク搬送経路１５が構成される。各陽極電極１２は、通常、矩形板状を成したステンレス、白金、カーボン等の不溶性材料にて構成される。ただし、本実施の形態において、各陽極電極１２を構成する材料は、不溶性電極として通常用いられているものであればよく、これらの材料に限定されない。
【００１７】
ガイドレール：  本実施の形態のガイドレール１３は、上述したワーク搬送経路１５に沿って配置される。ここで、当該ガイドレール１３は、外部電源（不図示）の陰極が電気的に接続された給電レール（不図示）を付設することが出来る。この場合、ワーク保持部材１は、当該給電レールと接触可能な被給電部（不図示）を設けることで、搬送中の複数のワークＷに対して印加する電流を常に一定とすることが出来る。
【００１８】
また、本実施の形態の電解処理装置１０に備わるガイドレール１３には、ワーク保持部材１を当該ガイドレール１３に沿って一定の速度で移動させるための駆動チェーン１４が付設される。本実施の形態の電解処理装置１０は、当該ワーク保持部材１が当該駆動チェーン１４に支持可能な構造（支持手段）を備えることで、当該駆動チェーン１４の駆動に伴い、ワークＷを搬送方向に沿って移動させることが出来る。
【００１９】
本実施の形態の電解処理装置１０において、上述した駆動チェーン１４には、後述する電流センサ装置２に対する給電を外部から行うための給電経路が設けられる。本実施の形態の電解処理装置１０は、当該駆動チェーン１４に設けられる給電経路に流れる電流を、例えば上述した支持手段を介して当該電流センサ装置２に給電させる構造とすることで、当該電流センサ装置２への給電を支障なく行うことが出来る。
【００２０】
以上に本実施の形態の電解処理装置１０について説明したが、当該電解処理装置１０は、後述する技術的特徴を備えたワーク保持部材１を複数備えることで、複数のワークＷへの給電を確実に行うことができ、また、複数のワークＷにおける電解処理不良の発生を早期に検出することが出来る。以下、本件発明に係る電解処理装置１０が備えるワーク保持部材１について説明する。
【００２１】
＜ワーク保持部材＞
本件発明に係るワーク保持部材１は、電解処理溶液５０中にワークＷを浸漬した状態で保持し、且つ、当該ワークＷに給電するものである。本実施の形態では、ワークＷとして、矩形板状形状を呈したものを用いる。しかし、本件発明において用いられるワークＷは、矩形板状形状を呈したものに限定されるものではない。当該ワークＷは、ワーク保持部材１によって保持された状態で、当該ワーク保持部材１を介して給電がされるものであれば、如何なる形状であってもよい。
【００２２】
本件発明に係るワーク保持部材１は、当該ワークＷへの給電量を監視する後述の電流センサ装置２を備えたものである。
【００２３】
本実施の形態のワーク保持部材１は、当該電流センサ装置２の他に、当該ワーク保持部材１を上述したガイドレール１３に沿って垂直搬送駆動させるために上述した駆動チェーン１４に支持するアーム４と、当該アーム４に固定されて当該ワークＷの被処理面ＷＳ内を略均一に給電するための給電バー５と、当該給電バー５に固定されて当該ワークＷを着脱自在に挟持する複数の把持部材（クランプ）６とを構成に備える。そして、ワークＷの被処理面ＷＳに電解処理層を形成するため、当該ワークＷを電解処理溶液５０内に浸漬した状態で保持する。以下に、これら構成要素について説明する。
【００２４】
アーム：  本実施の形態のアーム４は、上述したガイドレール１３に沿ってワーク保持部材１を垂直搬送駆動させるために、当該ガイドレール１３に付設されて当該ワーク保持部材１を搬送駆動する駆動チェーン１４と噛み合い可能な支持手段が設けられる。当該支持手段としては、例えば当該駆動チェーン１４と噛み合い可能なギア７等を設ける構造を採用することが出来る。当該支持手段としてギア７を用いる場合は、ワンウェイクラッチ方式のギア７を用いることにより、ワーク保持部材１の搬送を安定させることができ、好ましい。
【００２５】
給電バー：  本実施の形態の給電バー５は、断面形状が一定で且つ長手方向に直線状に延びて形成されたものである。当該給電バー５は、電解処理槽１１の長手方向に沿って配置される。当該給電バー５は、例えば、ねじ等の固定手段を用いて上述したアーム４に固定される。
【００２６】
把持部材：  本実施の形態の把持部材６は、ワークＷを着脱自在に挟持するために、上述した給電バー５の長手方向に沿って複数設けられる。当該把持部材６は、当該ワークＷを着脱可能であればよく、構造に関して特に問わない。当該把持部材６は、例えば、ねじ等の固定手段を用いて当該給電バー５に固定される。
【００２７】
上述した、アーム４、給電バー５、及び把持部材６は、いずれも上述したガイドレール１３からワークＷへ至る給電経路を構成する。よって、これらアーム４、給電バー５、及び把持部材６は、通常、導電性材料にて構成される。
【００２８】
電流センサ装置：  本実施の形態の電流センサ装置２は、ワークＷへの給電量を監視するために、ワーク保持部材１に備えられる。本実施の形態の電流センサ装置２は、複数あるワーク保持部材１の各々に備えられることで（図４に示す電流センサ装置２Ａ、２Ｂ、２Ｃ〜２ｎを参照のこと）、各ワーク保持部材１に保持されるワークＷへの給電量を逐次監視することが出来る。ここで、当該電流センサ装置２は、当該ワーク保持部材１により保持されるワークＷへの給電量を把握可能なものであればよく、構造等に関しては特に限定されない。
【００２９】
本件発明に係るワーク保持部材１は、上述した電流センサ装置２が、上述した給電経路に流れる電流値を取得する電流値取得部２０と、当該電流値取得部２０が取得した電流値に関する情報を無線送信する通信部２２と、当該電流値取得部２０及び当該通信部２２の動作を制御する制御部２１と、当該電流値取得部２０と当該通信部２２と当該制御部２１との少なくともいずれかに給電する給電部２３とを構成に備えたことが好ましい（図４を参照のこと。）。以下に、これら構成について説明する。
【００３０】
本件発明の電流値取得部２０は、上述したワーク保持部材１に備わる給電経路に流れる電流値を取得するために備えられるものである。ここで、電流値取得部２０は、当該電流値を取得するに際し、当該給電経路にシャント抵抗３を接続し当該シャント抵抗３から出力された電圧値を検出する電圧検出部（不図示）と、当該電圧検出部が検出した電圧値と当該シャント抵抗３の抵抗値に基づいて当該給電経路に流れる電流値を算出する算出部（不図示）を備えることが出来る。本件発明の電流値取得部２０は、シャント抵抗３を備えることで、当該給電経路に大電流が流れたとしてもワークＷへの給電量の良否を正確に判定することが出来る。なお、シャント抵抗３に関しては、周知のものであるため、ここでの詳細な説明は省く。以上に、本件発明の電流値取得部２０にシャント抵抗３を用いたものを示したが、本件発明の電流値取得部２０は、当該給電経路に流れる電流値を取得するために当該シャント抵抗３ではなく従来周知の電流センサを用いることも出来る。
【００３１】
本件発明の通信部２２は、上述した電流値取得部２０が取得した電流値に関する情報を、例えばＰＣやスマートフォン等の給電監視システム側制御装置４０に対して無線送信するものである。ここで、当該制御装置４０に伝送された電流値に関する情報は、作業者が当該制御装置４０に備わるディスプレイ（不図示）等で即時に確認することができ、電解処理に問題が生じた場合に迅速に対応することが出来る。例えば、通信部２２は、無線通信方式として従来公知の近距離無線方式を適宜採用することが出来る。
【００３２】
本件発明の制御部２１は、ＣＰＵやＲＡＭ等を有する汎用のマイクロコンピュータにより構成されている。当該制御部２１は、その入力側に上述した電流値取得部２０が接続され、その出力側に上述した通信部２２が接続され、これら電流値取得部２０及び通信部２２の動作を制御する。当該制御部２１は、当該電流値取得部２０から取得した電流値に関わる情報を通信部２２に伝送する。
【００３３】
また、制御部２１は、電流値取得部２０が上述したように電圧検出部と算出部からなる場合に、当該算出部を兼ねたものとすることが出来る。この場合、制御部２１は、当該電圧検出部で検出された電圧値に基づき演算処理を行い、電流値を算出する。例えば、電流値取得部２０がワーク保持部材１における給電経路にシャント抵抗３を接続した場合、制御部２１は、電流値取得部２０が取得した情報（シャント抵抗３両端の電圧値）と当該シャント抵抗３自体の抵抗値を用いて演算処理を行い、当該給電経路に流れる電流値を算出する。
【００３４】
更に、制御部２１は、電流値取得部２０が取得した電流値に関する情報を予め記録された基準情報と比較して、各ワークＷに施される電解処理に対して問題の有無を判定し、その結果を通信部２２に伝達することも出来る。
【００３５】
本件発明の給電部２３は、上述した電流値取得部２０、通信部２２、及び／又は制御部２１に給電を行い、これらを動作可能にすることが出来る。当該給電部２３は、これら電流値取得部２０、通信部２２、及び／又は制御部２１に給電を行うことが可能であればよく、構造等に関しては特に限定されない。
【００３６】
ここで、本件発明の給電部２３は、電池からなることが好ましい。当該給電部２３が電池であることで、電流センサ装置２は、小型化が図られると共に汎用性に優れたものとなる。そのため、連続式の電解処理装置１０において、従来では構造上困難とされていた、全てのワーク保持部材１について給電量の異常の有無の監視を行うことが可能となる。また、本件発明の給電部２３は、電池であることで、電流センサ装置２をメンテナンス性に優れたものとすることが出来る。
【００３７】
以上に、本件発明の電流センサ装置２に関する基本構成について説明したが、当該電流センサ装置２は、上述したワーク保持部材１を電解処理する工程の前段に設けられる第１近接スイッチ３０ａにより上述した電流値取得部２０への通電を開始し、当該ワーク保持部材１を電解処理する工程の後段に設けられる第２近接スイッチ３０ｂにより当該電流値取得部２０への通電を停止する開閉スイッチ２４を更に備えることが好ましい。本件発明の電流センサ装置２は、ワークＷを電解処理する工程の前段と後段とで近接スイッチ３０を用いて電流値取得部２０への導通状態を切り替える開閉スイッチ２４を備えることで、消費電力を軽減させることが可能となる。なお、当該近接スイッチ３０に関しては、以下で説明する。
【００３８】
＜給電監視システム＞
次に、本件発明に係る電解処理装置１０の給電監視システムについて説明する。本件発明の給電監視システムは、上述したワーク保持部材１を構成に備える電解処理装置１０の給電監視システムである。そして、本件発明の給電監視システムは、上述した電流センサ装置２を用いて当該ワーク保持部材１への給電量を監視し、取得した給電量が異常値であるときに、当該ワーク保持部材１への給電不良を検出するものである。
【００３９】
本件発明の給電監視システムは、上述したワーク保持部材１を構成に備えることで、電解処理を行うワークＷへの給電量の異常を即時に検知することが出来る。具体的には、本件発明の給電監視システムは、上述した電流センサ装置２により取得された電流値が予め設定した閾値範囲外である場合にワークＷへの給電不良を検知する。従って、本件発明の給電監視システムによれば、例え使用されるワーク保持部材１の数が多くなろうとも、全てのワーク保持部材１への給電量を監視することが出来る。また、この場合に、全てのワーク保持部材１への給電量をリアルタイムで監視することも可能である。
【００４０】
また、本件発明の給電監視システムは、上述したワーク保持部材１への給電不良を検知した場合、警報動作を実行することが好ましい。本件発明の給電監視システムは、ワーク保持部材１への給電量の異常を検知した場合に警報動作を実行する警報手段（不図示）を備えることで、作業者の監視負担を軽減させることが出来る。本件発明の給電監視システムは、例えば、上述した給電監視システム側制御装置の出力側に、異常発生を表示する警報手段としての要素を兼ね備えた表示装置を接続したり、警報手段としてのブザー等を接続することが出来る。
【００４１】
そして、本件発明の給電監視システムは、上述したように、電流センサ装置２が開閉スイッチ２４を備えた場合に、当該開閉スイッチ２４の導通状態を切り替える近接スイッチ３０を備えることが出来る。ここでいう近接スイッチ３０とは、可動部による機械的接触なしに動作する位置検出スイッチのことである。当該近接スイッチ３０には、検出領域内発生する磁界の変化を検知して作動する誘導形近接スイッチや、磁気検出素子と磁石の組み合わせにより検出体が接近したときの磁束変化を検知して作動する磁気形近接スイッチ等が挙げられる。これら近接スイッチは、周知であるため、ここでの詳細な説明は省略する。
【００４２】
以上に本件発明の給電監視システムについて説明したが、上述した構成による本実施の形態の給電監視システムの動作について以下に説明する。以下では、一般的な連続式の電解処理装置を用いて行う電解めっき処理の流れを例に挙げ、本件発明の効果を過不足なく述べる。
【００４３】
本実施の形態のワークＷは、矩形板状形状を呈したものである。まず、当該ワークＷが、ワーク保持部材１の把持部材６に取り付けられ、当該ワーク保持部材１に吊下される。ここで、当該把持部材６は、給電バー５の両端部に少なくとも１つずつ備わることで、当該ワーク保持部材１が当該ワークＷを安定的に保持することが出来る。本実施の形態の給電監視システムでは、連続式の電解処理装置１０を用いる。そのため、複数のワーク保持部材１のそれぞれにめっき処理を行うワークＷが保持される。
【００４４】
そして、ワークＷを保持したワーク保持部材１は、アーム４を介してガイドレール１３に支持される。本実施の形態の給電監視システムの動作では、当該ワーク保持部材１が、ガイドレール１３に付設される駆動チェーン１４に支持手段となるギア７を介して支持され、当該駆動チェーン１４の駆動により当該ガイドレール１３に沿って電解めっき処理槽１１内を搬送される。このときに当該ギア７は、一方向にのみ回転するワンウェイクラッチ方式のもの等を採用することで、複数のワーク保持部材１を略等間隔で搬送させることができ、品質の安定化を図ることが出来る。なお、本実施の形態の電解処理装置１０は、電解めっき処理槽１１のワークＷ搬送方向上流側に、当該ワークＷの表面を前処理する複数の工程（ワークＷの表面の脱脂処理、湯洗処理、水洗処理、酸洗浄等）を行うための処理槽を備える。
【００４５】
本実施の形態の給電監視システムの動作では、図５に示す如く、ガイドレール１３に沿って電解処理装置１０内を搬送されるワーク保持部材１を、電解めっき処理槽１１の真上に差し掛かった所で下降させて液中搬送用のガイドレール１３ａに移し替え、ワークＷをめっき処理溶液５０中に浸漬させた状態で再び搬送する。また、当該ワークＷをめっき処理溶液５０中から取り出す場合には、電解めっき処理槽１１の端部付近に差し掛かった所で当該ワーク保持部材１を電解めっき処理槽１１の真上に上昇させて再度ガイドレール１３に移し替える
【００４６】
電解めっき処理槽１１内に貯留されためっき処理溶液５０中にワークＷが浸漬されると、当該ワークＷは、当該電解めっき処理槽１１内に対向配置された陽極電極１２，１２との間のワーク搬送経路１５を移動する。このときに、当該対向配置された陽極電極１２，１２と、陰極となるワークＷとの間に給電が行われることによって、電解めっき処理槽１１内のめっき処理溶液５０が電気分解され、ワークＷの被処理面ＷＳにめっき処理層が形成される。ここで、当該ワークＷを保持するワーク保持部材１のアーム４が、ガイドレール１３に付設された給電レールと接触することにより、アーム４と、給電バー５と、把持部材６とを通る給電経路を介して陰極が電気的に接続され、ワークＷに定電圧が印加される。そして、当該ワークＷの各陽極電極１２と対峙する面が被処理面ＷＳとなる。
【００４７】
ここで、本実施の形態の給電監視システムでは、ワークＷをめっき処理溶液５０中に浸漬させている間にワークＷへの給電量の良否判定を行う電流センサ装置２を構成に備える。当該電流センサ装置２は、ワーク保持部材１の給電経路に流れる電流値を取得する電流値取得部２０と、当該電流値取得部２０が取得した電流値に関する情報を無線送信する通信部２２と、当該電流値取得部２０及び当該通信部２２の動作を制御する制御部２１と、当該電流値取得部２０と当該通信部２２と当該制御部２１との少なくともいずれかに給電する給電部２３とを構成に備える。当該電流センサ装置２によれば、膜厚計等を用いなくともワークＷの被処理面ＷＳにおける電解処理層の平均厚さについて確認することが可能となる。また、当該電流センサ装置２は、電流値取得部２０がワーク保持部材１の給電経路にシャント抵抗３を接続し当該シャント抵抗３両端の電圧値を検出し、当該電圧値と当該シャント抵抗３の抵抗値に基づいて当該給電経路に流れる電流値を算出する算出部を備えることで、ワークＷへの給電量の良否判定を正確且つ安定的に行うことが出来る。当該シャント抵抗３は、ワーク保持部材１の給電経路に流れる電流の大きさに適合した条件のものが選定される。
【００４８】
ところで、本実施の形態の給電監視システムでは、当該電流センサ装置２への給電は、駆動チェーン１４に給電経路を形成して外部からも給電が行えるようにすると共に、当該電流センサ装置２に備わる給電部２３を電池とすることが出来る。なお、当該電池を充電池とし、当該駆動チェーン１４から当該充電池に対して充電を行うようにすることも可能である。本実施の形態の給電監視システムは、このような構成とすることで、当該電池の長寿命化を図ることができ、当該ワーク保持部材１のメンテナンス性を向上させることが可能となる。また、複数のワーク保持部材１のそれぞれに電流センサ装置２を設置して、これら複数のワーク保持部材１に保持される全てのワークＷに対する処理不良の監視を長期間に亘り安定的に行うことが出来る。
【００４９】
また、本実施の形態の給電監視システムでは、当該通信部２２からの情報を伝達するための制御装置４０を外部に備えることができ、当該制御装置４０の出力側に警報手段（不図示）を備える。従って、本実施の形態の給電監視システムでは、電流センサ装置２が、ワークＷへの給電量の異常を検知した場合にブザーを鳴らす等の警報動作を行い、作業者の監視負担を軽減させることが出来る。なお、当該給電監視システムでは、警報動作を行う際に、ワークＷの搬送を停止すると共に、外部電源（不図示）からの給電を停止する緊急停止動作を行うことも可能である。また、当該給電監視システムでは、例えば、給電量の異常が検知されたワーク保持部材１を、ロボットにより選り分けるようにすることも出来る。
【００５０】
そして、本実施の形態の給電監視システムでは、電流センサ装置２が、ワーク保持部材１を電解処理する前のワーク搬送経路１５付近に第１近接スイッチ３０ａを配置して当該電流値取得部２０への給電を開始させ、当該ワーク保持部材１を電解処理した後のワーク搬送経路１５付近に第２近接スイッチ３０ｂを配置して電流値取得部２０への給電を終了するよう、開閉スイッチ２４を備える。本実施の形態の電解処理装置１０の給電監視システムは、このような構成を採用することで、消費電力の削減を図ることができ、製造コストを低下させることが出来る。また、このときに、制御部２１が通信部２２の動作を制御して、電流値に関する情報の無線通信を止めることで、当該電解処理装置１０の給電監視システム全体の通信量を減らして混信を抑制することが出来る。
【００５１】
なお、図５には、当該第１近接スイッチ３０ａが当該ワーク保持部材１を液中搬送用のガイドレール１３ａに移し替える直前のワーク搬送経路１５付近に配置され、当該第２近接スイッチ３０ｂが当該ワーク保持部材１を再びガイドレール１３に移し替えた直後のワーク搬送経路１５付近に配置されているのが示されている。しかし、これら第１近接スイッチ３０ａ及び第２近接スイッチ３０ｂの配置位置は、図５に示す位置に限定されるものではない。例えば、当該第１近接スイッチ３０ａを当該ワーク保持部材１を液中搬送用のガイドレール１３ａに移し替えた直後のワーク搬送経路１５付近に配置し、当該第２近接スイッチ３０ｂを当該ワーク保持部材１を再びガイドレール１３に移し替える直前のワーク搬送経路１５付近に配置することが出来る。
【００５２】
以上に本実施の形態の給電監視システムの動作について説明したが、本件発明では、複数あるワーク保持部材１それぞれに電流センサ装置２が備えられることで、各ワーク保持部材１への給電量を一元管理し、当該給電量に異常が生じているワーク保持部材１を迅速に作業者に報知させることが出来る。
【００５３】
以上、本件発明に係る電解処理装置１０について説明したが、本件発明によれば電解処理不良が発生するワークＷを即時に検知することが出来る。従って、本件発明によれば、ワーク保持部材１の導通不良により発生するワークＷにおける局所的な電解処理層の厚み不足の発生を未然に回避し、ワークＷの被処理面ＷＳ全体を均一に電解処理することが出来る。また、本件発明によれば、電解処理不良が発生したワークＷを特定し迅速に対応することが出来るため、品質管理が容易となる。
【００５４】
なお、以上では、本件発明の電解処理装置１０は、めっき装置として用いることのみ説明したが、これに限定されない。例えば、本件発明の電解処理装置１０は、エッチング処理装置としても用いることが出来る。また、以上では、本実施の形態の電解処理装置１０は、連続式のもののみ説明したが、本件発明に係る電解処理装置１０は、これに限定されず、例えばバッチ式や水平搬送式のものを用いることも出来る。
【産業上の利用可能性】
【００５５】
本件発明は、ワーク保持部材１の導通不良により発生する局所的なめっき厚不足の発生を未然に回避する。従って、本件発明によれば、あらゆる電解処理製品の品質の安定化及び低価格化を図ることが可能となる。
【符号の説明】
【００５６】
Ｗ    ワーク（カソード）
ＷＳ    被処理面
１    ワーク保持部材
２    電流センサ装置
３    シャント抵抗
４    アーム
５    給電バー
６    把持部材
７    ギア（支持手段）
１０    電解処理装置
１１    電解処理槽（電解めっき処理槽）
１２    陽極電極（アノード）
１３    ガイドレール
１３ａ  ガイドレール（電解処理溶液中搬送用）
１４    駆動チェーン（給電経路）
１５    ワーク搬送経路
２０    電流値取得部
２１    制御部
２２    通信部
２３    給電部
２４    開閉スイッチ
３０    近接スイッチ
３０ａ  第１近接スイッチ
３０ｂ  第２近接スイッチ
４０    制御装置（給電監視システム側）
５０    電解処理溶液（めっき処理溶液）